(57)【要約】 原稿搬送路を形成するガイド部材（２７１）は、コンタクトイメージセンサー（２１１）を内部に収容すると共に透明ガラス板（２７４）によって覆われた凹部（２７３）と、該凹部（２７３）の開放側の周縁部に形成され、透明ガラス板（２７４）の周縁部に当接することにより、透明ガラス板（２７４）における原稿搬送路側の面がガイド部材の原稿搬送面（２７１ｄ）に対して所定高さになるように透明ガラス板（２７４）の位置決めを行う位置決め面（２７１ｂ）と、を有し、透明ガラス板（２７４）を該位置決め面（２７１）に対して押付けて固定する着脱式の固定部材をさらに備える。
2016067750.tif 000002
【特許請求の範囲】
【請求項１】
給紙トレイに載置された原稿を所定の原稿搬送路に沿って搬送して排紙トレイに排出する原稿送り機構と、上記所定の原稿搬送路に沿って配置されて該原稿搬送路を形成するガイド部材と、上記所定の原稿搬送路の側方に配置され、該所定の原稿搬送路を通過する原稿の画像を読取るコンタクトイメージセンサーと、該コンタクトイメージセンサーにおける原稿搬送路側を覆う透明ガラス板と、を備えた画像読取装置であって、
上記ガイド部材は、上記コンタクトイメージセンサーを内部に収容すると共に上記透明ガラス板によって覆われた凹部と、該凹部の開放側の周縁部に形成され、上記透明ガラス板の周縁部に当接することにより、該透明ガラス板における原稿搬送路側の面が上記ガイド部材の原稿搬送面に対して所定高さになるように当該透明ガラス板の位置決めを行う位置決め面と、を有する画像読取装置。
【請求項２】
請求項１記載の画像読取装置において、
上記所定高さは、上記透明ガラス板における原稿搬送側の面が上記ガイド部材の原稿搬送面に対して面一になるような高さである、画像読取装置。
【請求項３】
請求項１記載の画像読取装置において、
上記コンタクトイメージセンサーが上記透明ガラス板に密着するように該コンタクトイメージセンサーを付勢する付勢部材をさらに備えている、画像読取装置。
【請求項４】
請求項１記載の画像読取装置において、
上記透明ガラス板を上記ガイド部材に形成された上記位置決め面に対して押付けて固定する着脱式の固定部材をさらに備えている、画像読取装置。
【請求項５】
請求項１に記載の画像読取装置において、
上記原稿の幅方向において、上記原稿搬送路を挟んで互いに対向して配置された一対の側壁部を備え、
上記側壁部における互いの対向面にはそれぞれ、上記ガイド部材における原稿幅方向の両端部にそれぞれ形成された係合部に係合することで当該ガイド部材の位置決めを行う位置決め部が形成されている、画像読取装置。
【請求項６】
請求項５記載の画像読取装置において、
上記ガイド部材は、上記一対の側壁部の間に上側からセットされるものであり、
上記係合部は、上記ガイド部材における原稿幅方向の両端部からそれぞれ突出する一対の突部であり、
上記一対の側壁部における互いの対向面には、上下方向に延びると共に上記突部を上側から受け入れる溝部が形成され、
上記溝部の下端部は、上記突部に係合することにより上記ガイド部材の位置決めを行う上記位置決め部として機能する、画像読取装置。  
【請求項７】
請求項６記載の画像読取装置において、
上記溝部における上記位置決め部の上側に隣接する部分には、下側ほど溝幅が狭くなる案内部が形成されている、画像読取装置。
【請求項８】
請求項７記載の画像読取装置において、
上記突部は、上記溝部の下端部の位置決め部に係合した状態において、当該溝部の側壁に点接触するように形成されている、画像読取装置。
【請求項９】
請求項１記載の画像読取装置を備えた画像形成装置。
【発明の詳細な説明】
【技術分野】
【０００１】
本発明は、画像読取装置及び該画像読取装置を備えた画像形成装置に関する。
【背景技術】
【０００２】
従来より、給紙トレイから搬送される原稿の画像をイメージセンサーにより読取り、該読取り後の原稿を排紙トレイに排出する画像読取装置は知られている。原稿搬送路は、該搬送路に沿って配置されたガイド板によって形成されている。上記イメージセンサーとしては例えばコンタクトイメージセンサー（ＣＩＳ(contact image sensor)とも言う）が使用される（例えば、特許文献１参照）。このコンタクトイメージセンサーは、一側面がコンタクトガラスで覆われた筐体の内部に収容されている。筐体は、コンタクトガラスが原稿搬送路に臨むように配置されている。筐体は、原稿搬送方向に相隣接するガイド板とガイド板との間に配置されている。
【先行技術文献】
【特許文献】
【０００３】
【特許文献１】特開２００９−１４３６９６号公報
【発明の概要】
【発明が解決しようとする課題】
【０００４】
ところで、コンタクトイメージセンサーは被写界深度が狭いので、画像読取りを良好に行うためにコンタクトイメージセンサーと原稿搬送路を通過する原稿との距離を極力、一定に維持することが好ましい。【０００５】
しかしながら、上記特許文献１に示す画像読取装置では、その組立工程において、コンタクトイメージセンサーを収容する筐体の原稿搬送路に対する組付け位置がばらつく結果、コンタクトイメージセンサーと原稿との距離がばらついて画像読取りを良好に行うことができないという問題がある。【０００６】
本発明は、かかる点に鑑みてなされたものであり、その目的とするところは、コンタクトイメージセンサーの原稿搬送路に対する位置決め精度を向上させることにより、該コンタクトイメージセンサーによる原稿画像の読取り精度を向上させることにある。
【課題を解決するための手段】
【０００７】
本発明に係る画像読取装置は、原稿送り機構と、ガイド部材と、コンタクトイメージセンサーと、透明ガラス板とを備えている。原稿送り機構は、給紙トレイに載置された原稿を所定の原稿搬送路に沿って搬送して排紙トレイに排出する。ガイド部材は、上記所定の原稿搬送路に沿って配置されて該原稿搬送路を形成する。コンタクトイメージセンサーは、上記所定の原稿搬送路の側方に配置され、該所定の原稿搬送路を通過する原稿の画像を読取る。透明ガラス板は、該コンタクトイメージセンサーにおける原稿搬送路側を覆っている。【０００８】
そして、上記ガイド部材は、凹部と位置決め面とを有している。該凹部は、上記コンタクトイメージセンサーを内部に収容すると共に上記透明ガラス板によって覆われている。上記位置決め面は、該凹部の開放側の周縁部に形成され、上記透明ガラス板の周縁部に当接することにより、該透明ガラス板における原稿搬送路側の面が上記ガイド部材の原稿搬送面に対して所定高さになるように当該透明ガラスの位置決めを行うように構成されている。【０００９】
この構成によれば、原稿搬送路を形成するガイド部材にコンタクトイメージセンサーを収容する凹部を一体形成するようにしたことで、センサーユニットをガイド部材とは別体で構成した場合に比べて、原稿搬送路に対するコンタクトイメージセンサーの位置決め精度を向上させることができる。しかも、この凹部の開放側の周縁部には、該凹部を覆う透明ガラス板に当接する位置決め面が形成されている。透明ガラス板がこの位置決め面に当接することで、透明ガラス板の原稿搬送路側の面とガイド部材の原稿搬送面とが面一になる。これにより、透明ガラス板がガイド部材の原稿搬送面に対して搬送路内方側又は外方側にずれた状態で配置されるのを防止することができる。延いては、コンタクトイメージセンサーと原稿搬送路（コンタクトガラス上）を通過する原稿との距離を一定に維持することができる。よって、コンタクトイメージセンサーによる原稿画像の読取り精度をより一層向上させることができる。【００１０】
本発明に係る画像形成装置は、上記画像読取装置を備えている。【００１１】
この構成によれば、コンタクトイメージセンサーによる原稿画像の読取り精度が向上するので、画像形成部によって原稿画像を用紙に精度良く再現印刷することができる。
【発明の効果】
【００１２】
本発明によれば、コンタクトイメージセンサーの原稿搬送路に対する位置決め精度を向上させることにより該コンタクトイメージセンサーによる原稿画像の読取り精度を向上させることができる。
【図面の簡単な説明】
【００１３】
【図１】図１は、実施形態における原稿給紙装置（画像読取装置に相当）を備えた画像形成装置の内部を示す概略図である。
【図２】図２は、原稿給紙装置を示す外観斜視図である。
【図３】図３は、原稿給紙装置を示す概略の縦断面図である。
【図４】図４は、原稿搬送路に沿って配置される内側ガイド部の上流側ガイド部材を示す外観斜視図である。
【図５】図５は、原稿給紙装置の上部カバーを取外した状態を示す外観斜視図である。
【図６】図６は、原稿給紙装置の上部カバーを取外した状態を示す外観斜視図である。
【図７】図７は、図６のVII−VII線断面図である。
【図８】図８は、図６のVIII−VIII線断面図である。
【図９】図９は、原稿給紙装置の一対の側壁部のうち画像形成装置の後側寄りに位置する側壁部を、一対の側壁部の内側から見た斜視図である。
【図１０】図１０は、図９のＸ方向矢視図であって、溝部の下端部に形成された位置決め部を拡大して示す拡大図である。
【発明を実施するための形態】
【００１４】
以下、本発明の実施形態を図面に基づいて詳細に説明する。尚、本発明は、以下の実施形態に限定されるものではない。
【００１５】
《実施形態》
図１は、本実施形態における原稿給紙装置（画像読取装置に相当）２２１を備えた画像形成装置１を示している。画像形成装置１は、電子写真方式を利用したレーザープリンターである。画像形成装置１は、画像形成装置本体１００と、画像形成装置本体１００の上部に取り付けられた画像読取部２００と、ユーザーが操作可能な操作パネル２９０と、を備えている。尚、以下の説明において、前側、後側はそれぞれ、画像形成装置１の前側、後側（図１の左右方向の左側、右側）を意味し、左側、右側は、画像形成装置１を前側から見たときの左側、右側（図１の紙面垂直方向の手前側、奥側）を意味する。
【００１６】
画像形成装置本体１００は箱状の筐体６０を有している。筐体６０の上部には画像読取部２００が設けられている。上記筐体６０内には、給紙部１０、画像形成部２０、定着部４０が収容されている。給紙部１０から排紙トレイ部５０に至る用紙搬送路Ｌには、用紙Ｐを挟持して搬送する複数の搬送ローラー対１１〜１３が配置されている。また、筐体６０内には、用紙搬送路Ｌの下流側から分岐して上流側に合流する反転搬送路Ｌ´が設けられている。反転搬送路Ｌ´には搬送ローラー対１４〜１６が配置されている。
【００１７】
上記給紙部１０は、筐体６０内の下部に配置されている。給紙部１０は、シート状の用紙Ｐが収容される給紙カセット１０ａと、該給紙カセット１０ａ内の用紙Ｐを取り出して該カセット外に送り出すためのピックアップローラー１０ｂとを有している。給紙カセット１０ａよりカセット外に送り出された用紙Ｐは、搬送ローラー対１１を介して画像形成部２０に供給される。
【００１８】
画像形成部２０では、ブラック、マゼンタ、シアンおよびイエローの各色にそれぞれ対応するトナー画像を形成する作像ユニット２０Ｂｋ、２０Ｍ、２０Ｃ、２０Ｙが一列に配置されている。各作像ユニット２０Ｂｋ、２０Ｍ、２０Ｃ、２０Ｙは、感光体ドラム２１、帯電装置２２、現像装置２３およびクリーニング装置２４を備えている。作像ユニット２０Ｂｋ、２０Ｍ、２０Ｃ、２０Ｙの下方には、各感光体ドラム２１の表面にレーザー光を照射する露光装置２５が配置されている。また、作像ユニット２０Ｂｋ、２０Ｍ、２０Ｃ、２０Ｙの上側には、中間転写ユニット２６が配置されている。中間転写ユニット２６には、各感光体ドラム２１に接して走行する中間転写ベルト２７が設けられている。中間転写ベルト２７の内側には感光体ドラム２１との間で中間転写ベルト２７を挟み込むように、一次転写ローラー２８が設けられている。また、作像ユニット２０Ｂｋの下流側には、中間転写ベルト２７の表面に接触するように二次転写ローラー２９が設けられている。中間転写ユニット２６の上側には、トナーコンテナ３０Ｂｋ、３０Ｍ、３０Ｃ、３０Ｙが配置されている。トナーコンテナ３０Ｂｋ、３０Ｍ、３０Ｃ、３０Ｙには、作像ユニット２０Ｂｋ、２０Ｍ、２０Ｃ、２０Ｙの各現像装置２３に補給される各色のトナーが収納されている。
【００１９】
画像形成部２０では、露光装置２５によって各感光体ドラム２１の表面に所定の画像データ（本実施形態では、画像読取部２００により読み込んだ原稿画像データ）に基づくレーザー光を照射することで静電潜像を形成する。画像形成部２０は、この形成した静電潜像を現像装置２３によって現像することで各色のトナー像を形成する。各感光体ドラム２１の表面に形成された各色のトナー像は、一次転写ローラー２８によって中間転写ベルト２７の表面に転写されて重ね合わせられる。そして、中間転写ベルト２７上に転写されたトナー像は二次転写ローラー２９によって、給紙部１０より供給された用紙Ｐに対して転写される。該転写後の用紙Ｐは定着部４０に供給される。定着部４０では、画像形成部２０より供給される用紙Ｐを定着ローラー４０ａ及び加圧ローラー４０ｂ間で加圧することにより、当該用紙Ｐにトナー像を定着させる。そして、定着部４０にてトナー像が定着された用紙Ｐは、両ローラー４０ａ，４０ｂにより下流側へと送り出される。定着部４０より送り出された用紙Ｐは、搬送ローラー対１３を介して上記排紙トレイ部５０に排出される。また、用紙Ｐの両面にトナー像を形成する場合には、搬送ローラー対１３によって用紙Ｐはスイッチバックされて、反転搬送路Ｌ´に搬送される。  
【００２０】
上記画像読取部２００は、略直方体状のケース体２５０と、原稿押さえカバー２４０と、原稿給紙装置２２１とを有している。ケース体２５０の上面は、原稿が載置される原稿載置面２５０ａを形成している。画像読取部２００は、原稿載置面２５０ａに載置された原稿の画像を読取る固定読取りモードと、原稿給紙装置２２１により原稿を一枚ずつ連続的に供給しながらその画像を読取る流し読みモードとを備えている。上記ケース体２５０の内部にはスキャナ部２１０（図３参照）が収容されている。スキャナ部２１０は、固定読取りモードにおいては原稿載置面２５０ａに載置された原稿画像を光学的に読取り、流し読みモードにおいては原稿の表面の画像を光学的に読み取ってその画像データを生成する。スキャナ部２１０は、例えば、反射ミラー、ＣＣＤセンサー等により構成されている。上記原稿押さえカバー２４０は、上記原稿載置面２５０ａを開閉可能に覆っている。原稿押さえカバー２４０は、不図示のヒンジ機構を介してケース体２５０に回動可能に取付けられている。
【００２１】
上記原稿給紙装置２２１は原稿押さえカバー２４０の上面側に設けられている。図２に示すように、原稿給紙装置２２１は、本体ケース２２２を有している。本体ケース２２２は、原稿押さえカバー２４０の上面側の左側端部に設けられている。本体ケース２２２は、一対の側壁部２２２ｅと、開閉可能な上部カバー２２２ｋとを有している。上記本体ケース２２２の下面は原稿押さえカバー２４０の上面により構成されている。上記一対の側壁部２２２ｅは、原稿給紙装置２２１内に設けられた原稿搬送路２２５（図３参照）を挟んで前後方向において対向配置されている。一対の側壁部２２２ｅは、原稿押さえカバー２４０の上面に固定されている。
【００２２】
図３は、原稿給紙装置２２１の縦断面図である。同図に示すように、本体ケース２２２の右側面には、上下方向に並ぶ給紙口２２２ｆ及び排紙口２２２ｇが形成されている。給紙口２２２ｆ及び排紙口２２２ｇの右側にはそれぞれ、給紙トレイ２２３及び排紙トレイ２２８が設けられている。本体ケース２２２内には、給紙口２２２ｆから排紙口２２２ｇに至る略Ｕ字状の原稿搬送路２２５が形成されている。本体ケース２２２内には、この搬送路２２５に沿って上流側から下流側に向かって順に、送出しローラー２６１、給紙ローラー２６２、搬送ローラー対２６３，２６４，２６５及び排紙ローラー対２６６が設けられている。これらローラー２６１,２６２及び搬送ローラー対２６３〜２６５は、前後方向に延びるように配置されている。原稿搬送路２２５の側方には、内側ガイド部２７０及び外側ガイド部２８０が設けられている。内側ガイド部２７０及び外側ガイド部２８０は、原稿搬送路２２５を挟んで対向して配置されている。内側ガイド部２７０及び外側ガイド部２８０は、原稿搬送路２２５に沿って配置されている。内側ガイド部２７０はＵ字状の原稿搬送路２２５の内側壁面を形成し、外側ガイド部２８０は該原稿搬送路２２５の外側壁面を形成している。
【００２３】
送出しローラー２６１と給紙ローラー２６２とはブラケット２３１を介して連結されている。給紙動作時には、ブラケット部２３１が支持シャフト２３２回りに図の時計回り方向に回動することで、送出しローラー２６１が原稿の上面に当接するようになっている。尚、図３中の符号２０５は、原稿給紙トレイ２２３に載置された原稿の先端位置を規制するストッパーである。
【００２４】
上記原稿給紙装置２２１の給紙動作が開始すると、給紙トレイ２２３に載置された原稿が、送出しローラー２６１及び給紙ローラー２６２によって原稿搬送路２２５に供給された後、搬送ローラー対２６３〜２６５を経由して排紙ローラー対２６６によって排紙トレイ２２８に排出される（図３の太矢印参照）。原稿搬送路２２５の途中には、上記流し読みモードにおいて原稿画像を読み取るための第１画像読取位置２２６及び第２画像読取位置２２７が設定されている。第１画像読取位置２２６では、コンタクトイメージセンサー（Contact Image Sensor）２１１により原稿の裏面の画像が読取られる。第２画像読取位置２２７では、上記スキャナ部２１０により原稿の表面の画像が読取られる。
【００２５】
コンタクトイメージセンサー２１１は、原稿搬送路２２５の内側近傍に設けられている。コンタクトイメージセンサー２１１は、その画像読取面が原稿搬送路２２５側を向くように配置されている。コンタクトイメージセンサー２１１は、原稿搬送路２２５を通過する原稿に向けて光を出射する光源（図示省略）と、原稿幅方向（原稿搬送方向に直交する方向あって図３の紙面垂直方向）に並ぶ複数の受光素子（図示省略）とを有している。各受光素子は、原稿からの反射光を受光して、その受光量に応じた大きさの画像信号を出力する。各受光素子から出力された画像信号はコントローラーに送信される。コントローラーでは、各受光素子から受信した画像信号を基に原稿の裏面の画像データを生成する。
【００２６】
上記内側ガイド部２７０は、搬送ローラー対２６５よりも上流側に設けられた上流側ガイド部材２７１と該搬送ローラー対２６５よりも下流側に設けられた下流側ガイド部材２７２とを有している。
【００２７】
図４に示すように、上流側ガイド部材２７１の原稿搬送方向の中央部には、原稿幅方向に延びて上記コンタクトイメージセンサー２１１を収容する凹部２７３が形成されている。凹部２７３は、原稿搬送路２２５側に開放する断面矩形状に形成されている。凹部２７３は、上流側ガイド部材２７１における原稿幅方向の全体に亘って形成されている。詳しくは、凹部２７３は、原稿搬送方向において間隔を空けて対向する一対の縦壁部２７１ｅと該縦壁部２７１ｅの下端部同士を連結する底壁部２７１ｆとによって形成されている。上流側ガイド部材２７１における原稿幅方向の両端部には、該原稿幅方向の外側に突出する突部２７１ｍが形成されている。各突部２７１ｍは、原稿給紙装置２２１の一対の側壁部２２２ｅの互いの対向面に形成された溝部２２４（図９参照）に挿入される。溝部２２４の詳細については後述する。
【００２８】
上記上流側ガイド部材２７１における凹部２７３よりも原稿搬送方向の上流側及び下流側にはそれぞれ、上流側開口部２７１ｇ及び下流側開口部２７１ｈが３つずつ形成されている。図５及び図６に示すように、上流側開口部２７１ｇからは搬送ローラー対２６３の駆動ローラー２６３ａが露出し、下流側開口部２７１ｈからは搬送ローラー対２６４の駆動ローラー２６４ａが露出している。上記凹部２７３の開放側は、透明ガラス板としてのコンタクトガラス２７４により閉塞されている。すなわち、凹部２７３は、コンタクトガラス２７４により覆われている。コンタクトガラス２７４は、原稿幅方向に延びる長方形状の板材で構成されている。
【００２９】
図７に示すように、凹部２７３内に収容されたコンタクトイメージセンサー２１１と凹部２７３の底壁部２７１ｆとの間には、付勢バネ２７６が配置されている。付勢バネ２７６は、圧縮コイルバネからなり、コンタクトイメージセンサー２１１を上側に付勢している。そして、付勢バネ２７６は、コンタクトイメージセンサー２１１をコンタクトガラス２７４の下面に押付けて密着させている。
【００３０】
上記コンタクトガラス２７４はＬ字状の段差部２７１ａに支持されている。段差部２７１ａは、凹部２７３の開放側端に位置し且つ原稿搬送方向において対向する２つの縁部にそれぞれ形成されている。各段差部２７１ａは、コンタクトガラス２７４に当接する当接面２７１ｂと、該当接面２７１ｂに対して垂直に形成された垂直面２７１ｃと、を有している。当接面２７１ｂは、上流側ガイド部材２７１の原稿搬送面２７１ｄと平行に形成されている。当接面２７１ｂは、原稿搬送面２７１ｄよりもコンタクトガラス２７４の厚さ分だけ下側に位置している。垂直面２７１ｃは、該当接面２７１ｂと上流側ガイド部材２７１の原稿搬送面２７１ｄとを接続する。原稿搬送面２７１ｄは、原稿搬送路２２５を形成する面であって、上流側ガイド部材２７１の上面のうち凹部２７３よりも上流側及び下流側に位置する部分からなる。上記当接面２７１ｂは、この原稿搬送面２７１ｄと上記コンタクトガラス２７４の上面とが面一（つまり同じ高さ）になるように、コンタクトガラス２７４の位置決めを行う位置決め面として機能する。
【００３１】
図８に示すように、上記コンタクトガラス２７４は、着脱式の一対の固定部材２７５により上記当接面２７１ｂに押し付けて固定されている。一対の固定部材２７５はそれぞれコンタクトガラス２７４の長手方向の両端部を固定している。上記固定部材２７５は、固定板部２７５ａと一対の脚部２７５ｂを有している。固定板部２７５ａは、コンタクトガラス２７４の上面に当接する板部であって平面視でコ字状に形成されている（例えば図５及び図６参照）。一対の脚部２７５ｂは、固定板部２７５ａの原稿搬送方向の両端部からそれぞれ下方に延びている。一対の脚部２７５ｂは、その基端部（固定部材２７５との接続部）を支点として原稿搬送方向（図８の左右方向）に可撓可能に構成されている。固定部材２７５は、このような可撓性を持たせるために樹脂材で構成されることが好ましい。各脚部２７５ｂの下端部には係合爪部２７５ｃが形成されている。各係合爪部２７５ｃは、一対の脚部２７５の互いの内側面から該内側に突出している。係合爪部２７５ｃは、上記一対の縦壁部２７１ｅの互いの外側面に形成された係合凹部２７１ｋに係合している。
【００３２】
上流側ガイド部材２７１は、原稿給紙装置２２１の一対の側壁部２２２ｅ（図５及び図６参照）の間に上側から挿入されてセットされる。図９に示すように、一対の側壁部２２２ｅ（図９では、後側の側壁部２２２ｅのみを示す）の互いの対向面には溝部２２４が形成されている。溝部２２４は、略上下方向に延びている。溝部２２４は、挿入側ガイド部２２４ａと案内部２２４ｂと位置決め部２２４ｃとを有している。挿入側ガイド部２２４ａは、上側に開放していて、上流側ガイド部材２７１の突部２７１ｍを上側から受け入れる。案内部２２４ｂは、挿入側ガイド部２２４ａの下端部に接続されている。案内部２２４ｂは、位置決め部２２４ｃの上側に隣接して配置されている。案内部２２４ｂは、図１０に拡大して示すように、下側ほど溝幅が狭くなるように形成されている。案内部２２４ｂは、挿入側ガイド部２２４ａより受け入れた上流側ガイド部材２７１の突部２７１ｍを位置決め部２２４ｃへと案内する。位置決め部２２４ｃは、案内部２２４ｂの下端に接続されている。位置決め部２２４ｃの下端側は閉塞されている。そして、位置決め部２２４ｃは、上流側ガイド部材２７１の突部（係合部）２７１ｍに係合して該上流側ガイド部材２７１の位置決めを行う。
【００３３】
上流側ガイド部材２７１のセット作業では、先ず、上流側ガイド部材２７１を一対の側壁部２２２ｅの間に上側から挿入する。このとき、上流側ガイド部材２７１に形成された突部２７１ｍを側壁部２２２ｅの内側面に形成された溝部２２４に挿入する。そして、上流側ガイド部材２７１を手で支えながら徐々に下側に移動させて行くと突部２７１ｍが溝部２２４の下端部（つまり位置決め部２２４ｃ）に嵌り込む。そうして、上流側ガイド部材２７１の突部２７１ｍが位置決め部２２４ｃに嵌り込む（係合する）ことで上流側ガイド部材２７１の位置決めが完了する。本実施形態では、図１０に示すように、上流側ガイド部材２７１の位置決めが完了した状態では、突部２７１ｍの外周が溝部２２４の側壁に点接触した状態になる。
【００３４】
以上説明したように上記実施形態では、原稿搬送路２２５を形成する上流側ガイド部材２７１にコンタクトイメージセンサー２１１を収容するための凹部２７３を一体形成するようにしたので、上流側ガイド部材２７１とは別体でセンサーユニットを設けるようにした場合に比べて、原稿搬送路２２５に対するコンタクトイメージセンサー２１１の位置決め精度を向上させることができる。
【００３５】
しかも、上記凹部２７３部の開放側の一対の端縁部にはそれぞれ、コンタクトガラス２７４に当接して該コンタクトガラス２７４の位置決め行う当接面２７１ｂが形成されている。この当接面２７１にコンタクトガラス２７４が当接することにより、コンタクトガラス２７４の原稿搬送路２２５側の面が上流側ガイド部材２７１の原稿搬送面２７１ｄと面一になる。したがって、コンタクトガラス２７４が上流側ガイド部材２７１の原稿搬送面２７１ｄよりも搬送路２２５の内方側又は外方側にずれた状態で配置されるのを防止することができる。延いては、コンタクトガラス２７４と、原稿搬送路２２５を通過する原稿との距離を一定に維持することができる。よって、コンタクトイメージセンサー２１１による原稿画像の読取り精度を確実に向上させることができる。
【００３６】
さらに、コンタクトガラス２７４は着脱式の固定部材２７５によって上記当接面２７１ｂに押付けて固定されている。したがって、この固定部材２７５を取外すだけで凹部２７３内の清掃作業やコンタクトイメージセンサー２１１の交換作業を容易に行うことができる。
【００３７】
さらに上記実施形態では、コンタクトイメージセンサー２１１は、付勢バネ２７６により上側に付勢されて上記コンタクトガラス２７４に密着している。
【００３８】
したがって、コンタクトガラス２７４に対するコンタクトイメージセンサー２１１の位置を常に一定に維持することができる。延いては、コンタクトガラス２７４を支持する上流側ガイド部材２７１に対するコンタクトイメージセンサー２１１の位置を常に一定に維持することができ、原稿搬送路２２５に対するコンタクトイメージセンサー２１１の位置のばらつきをより一層確実に抑制することができる。
【００３９】
さらに上記実施形態では、原稿給紙装置２２１の一対の側壁部２２２ｅの互いの対向面に上下方向に延びる溝部２２４を形成するようにしている。この溝部２２４の下端部には、上流側ガイド部材２７１に形成された突部２７１ｍに係合することで当該上流側ガイド部材２７１の位置決めを行う位置決め部２２４ｃが形成されている。
【００４０】
これによれば、上流側ガイド部材２７１を上記一対の側壁部２２２ｅの間に高い位置精度でセットすることができ、上流側ガイド部材２７１の原稿搬送面２７１ｄの位置がばらつくのを防止することができる。したがって、原稿搬送路２２５の隙間が広過ぎる等して搬送中の原稿が該搬送路２２５内において厚さ方向に変位するのを防止することができる。よって、搬送中の原稿とコンタクトイメージセンサー２１１ーとの距離がばらつくのをより一層確実に抑制することができる。
【００４１】
また、上記溝部２２４における上記位置決め部２２４ｃの上側に隣接する部分には、下側ほど溝幅が狭くなる案内部２２４ｂが形成されている。
【００４２】
これによれば、上流側ガイド部材２７１のセット作業に際して、上記突部２７１ｍを案内部２２４ｂによって位置決め部２２４ｃへとスムーズに案内することができる。よって、上流側ガイド部材２７１のセット作業を容易に行うことができる。
【００４３】
さらに、上流側ガイド部材２７１の突部２７１ｍは、溝部２２４の下端部の位置決め部２２４ｃに係合した状態において、位置決め部２２４ｃの側壁に点接触するように形成されている。
【００４４】
この構成によれば、上流側ガイド部材２７１のセット作業時に該上流側ガイド部材２７１が傾いたとしても、突部２７１ｍと溝部２２４の側壁との接触によるこじりが生じ難い。したがって、上流側ガイド部材２７１のセット作業をより一層容易化することができる。
【００４５】
上記実施形態における画像形成装置１は、上記原稿給紙装置２２１を備えている。したがって、コンタクトイメージセンサー２１１による原稿画像の読取り精度が向上するので、画像形成部２０によって原稿画像を用紙Ｐに精度良く再現印刷することができる。
【００４６】
《他の実施形態》
上記実施形態では、コンタクトイメージセンサー２１１を原稿搬送路２２５の内側に設けるようにしているが、これに限ったものではなく、例えば原稿搬送路２２５の内側及び外側の双方に設けるようにしてもよい。
【００４７】
上記実施形態では、コンタクトガラス２７４を着脱式の固定部材２７５によって上記当接面２７１ｂに固定するようにしているが、これに限ったものではなく、コンタクトガラス２７４を接着剤等により当接面２７１ｂに固定するようにしてもよい。
【００４８】
上記実施形態では、上記当接面２７１ｂは、原稿搬送面２７１ｄと上記コンタクトガラス２７４の上面とが面一になるように、コンタクトガラス２７４の位置決めを行うように構成されているが、これに限ったものではない。すなわち、当接面２７１ｂは、原稿搬送面２７１ｄがコンタクトガラス２７４ｄの上面よりも所定高さだけ高くなるように又は低くなるようにコンタクトガラス２７４の位置決めを行うように構成されていてもよい。
【００４９】
上記実施形態では、画像形成装置１がプリンターである例について説明したが、これに限ったものではなく、画像形成装置１は、例えばファクシミリ、複写機、及び複合機等であってもよい。
【産業上の利用可能性】
【００５０】
以上説明したように、本発明は、画像読取装置及び該画像読取装置を備えた画像形成装置に有用である。
【図１】
2016067750.tif 000003
【図２】
2016067750.tif 000004
【図３】
2016067750.tif 000005
【図４】
2016067750.tif 000006
【図５】
2016067750.tif 000007
【図６】
2016067750.tif 000008
【図７】
2016067750.tif 000009
【図８】
2016067750.tif 000010
【図９】
2016067750.tif 000011
【図１０】
2016067750.tif 000012
【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
給紙トレイに載置された原稿を所定の原稿搬送路に沿って搬送して排紙トレイに排出する原稿送り機構と、上記所定の原稿搬送路に沿って配置されて該原稿搬送路を形成するガイド部材と、上記所定の原稿搬送路の側方に配置され、該所定の原稿搬送路を通過する原稿の画像を読取るコンタクトイメージセンサーと、該コンタクトイメージセンサーにおける原稿搬送路側を覆う透明ガラス板と、を備えた画像読取装置であって、
上記ガイド部材は、上記コンタクトイメージセンサーを内部に収容すると共に上記透明ガラス板によって覆われた凹部と、該凹部の開放側の周縁部に形成され、上記透明ガラス板の周縁部に当接することにより、該透明ガラス板における原稿搬送路側の面が上記ガイド部材の原稿搬送面に対して所定高さになるように当該透明ガラス板の位置決めを行う位置決め面と、を有し、
上記原稿の幅方向において、上記原稿搬送路を挟んで互いに対向して配置された一対の側壁部を備え、
上記側壁部における互いの対向面にはそれぞれ、上記ガイド部材における原稿幅方向の両端部にそれぞれ形成された係合部に係合することで当該ガイド部材の位置決めを行う位置決め部が形成されている、画像読取装置。
【請求項２】
請求項１記載の画像読取装置において、
上記所定高さは、上記透明ガラス板における原稿搬送側の面が上記ガイド部材の原稿搬送面に対して面一になるような高さである、画像読取装置。
【請求項３】
請求項１記載の画像読取装置において、
上記コンタクトイメージセンサーが上記透明ガラス板に密着するように該コンタクトイメージセンサーを付勢する付勢部材をさらに備えている、画像読取装置。
【請求項４】
請求項１記載の画像読取装置において、
上記透明ガラス板を上記ガイド部材に形成された上記位置決め面に対して押付けて固定する着脱式の固定部材をさらに備えている、画像読取装置。
【請求項５】
（削除）
【請求項６】
請求項１記載の画像読取装置において、
上記ガイド部材は、上記一対の側壁部の間に上側からセットされるものであり、
上記係合部は、上記ガイド部材における原稿幅方向の両端部からそれぞれ突出する一対の突部であり、
上記一対の側壁部における互いの対向面には、上下方向に延びると共に上記突部を上側から受け入れる溝部が形成され、
上記溝部の下端部は、上記突部に係合することにより上記ガイド部材の位置決めを行う上記位置決め部として機能する、画像読取装置。
【請求項７】
請求項６記載の画像読取装置において、
上記溝部における上記位置決め部の上側に隣接する部分には、下側ほど溝幅が狭くなる案内部が形成されている、画像読取装置。
【請求項８】
請求項７記載の画像読取装置において、
上記突部は、上記溝部の下端部の位置決め部に係合した状態において、当該溝部の側壁に点接触するように形成されている、画像読取装置。
【請求項９】
請求項１記載の画像読取装置を備えた画像形成装置。
【国際調査報告】
2016067750.tif 000013
2016067750.tif 000014